(57)【特許請求の範囲】
【請求項１】
第１の段階と第２の段階との２段階で押圧されるシャッタボタンの押圧状態を検出する検出手段と、
静止画像を撮像する撮像手段と、
上記撮像手段で撮像した複数の静止画像を記憶する記憶手段と、
上記記憶手段で記憶した複数の静止画像を合成する合成手段と、
上記合成手段で合成された静止画像を表示する表示手段と、
上記撮像手段が静止画像を撮像することに応じて音響を生成する音響手段と、
第１の段階までシャッタボタンが押圧されたことを示す上記検出手段からの検出信号に応じて所定の期間内に複数の静止画像を撮像する連写撮影を行うように上記撮像手段を制御するとともに上記音響を生成するように上記音響手段を制御し、さらに、上記撮像手段で撮像した複数の静止画像を上記表示手段で表示するように制御し、第２の段階までシャッタボタンが押圧されたことを示す上記検出手段からの検出信号に応じて上記第１の段階で連写撮影された静止画像を記録媒体に記憶する処理を行うように制御する制御手段と
を備え、
上記記憶手段は、第１、第２のメモリからなり、
上記制御手段は、第１の段階までシャッタボタンが押圧されたことを示す上記検出手段からの検出信号に応じて所定の期間内に複数の静止画像を撮像する連写撮影を行うように上記撮像手段を制御し、連写撮影された複数の静止画像を上記記憶手段の第１のメモリに記憶するとともに、上記音響を生成するように上記音響手段を制御し、さらに、上記撮像手段で撮像した複数の静止画像を上記合成手段で合成して上記表示手段で表示するように制御し、第２の段階までシャッタボタンが押圧されたことを示す上記検出手段からの検出信号に応じて上記第１の段階で連写撮影された静止画像を上記記憶手段の第１のメモリから読み出して第２のメモリを介して記録媒体に記憶する処理を行うように制御する
ことを特徴とする画像撮像装置。
【請求項２】
第１の段階までシャッタボタンが押圧されたとき所定の期間内に複数の静止画像を撮像する連写撮影を行い第１のメモリに記憶するとともに音響を生成する処理と、
上記撮像した複数の静止画像を合成して表示モニタで表示する処理と、
第２の段階まで上記シャッタボタンが押圧されたときに第１の段階で連写撮影された各静止画像を第１のメモリから読み出して第２のメモリを介して記録媒体に記憶する処理と
を有することを特徴とする画像撮像方法。
【発明の詳細な説明】
【０００１】
【発明の属する技術分野】
本発明は、連写撮影をしたときの画像を表示する画像表示装置及び方法に関する。
【０００２】
【従来の技術】
従来、静止画像を撮像するディジタルカメラ装置では、ユーザが指で操作するシャッタスイッチが２段階となされて構成されており、１段階目まで押圧することでオートフォーカスロックやＡＥロックを行い、２段階目まで押圧することで上記１段階目でロックされた状態における静止画像を記録していた。
【０００３】
また、所定の期間内に複数の静止画像を撮像する連写機能を備えたディジタルカメラ装置は、連写を行う連写モードが選択されると、１段階目まで押圧することで上述と同様にオートフォーカスロックやＡＥロックを行い、２段階目まで押圧されることで記録される静止画像が表示モニタに表示されるとともに連写機能を用いて撮像した複数の静止画像を記録していた。
【０００４】
【発明が解決しようとする課題】
しかし、上述の連写機能を有するディジタルカメラ装置においては、例えば連写機能を用いて撮像した静止画像を記録媒体に記録する前にユーザが表示モニタで確認することができなかった。すなわち、従来のディジタルカメラ装置においては、２段階目までシャッタスイッチが押圧された時点で記録媒体に記録する静止画像を表示するので、記録媒体に記録する前にユーザの選択により表示された静止画像に応じて記録するか否かの決定をすることができなかった。
【０００５】
そこで、本発明は、上述したような実情に鑑みて提案されたものであり、連写機能を用いて静止画像を撮像した場合であっても、記録媒体に記録する前に記録する静止画像の確認を行うことができる画像撮像装置及び方法を提供することを目的とする。
【０００６】
【課題を解決するための手段】
上述の課題を解決する本発明に係る画像撮像装置は、第１の段階と第２の段階との２段階で押圧されるシャッタボタンの押圧状態を検出する検出手段と、静止画像を撮像する撮像手段と、上記撮像手段で撮像した複数の静止画像を記憶する記憶手段と、上記記憶手段で記憶した複数の静止画像を合成する合成手段と、上記合成手段で合成された静止画像を表示する表示手段と、上記撮像手段が静止画像を撮像することに応じて音響を生成する音響手段と、第１の段階までシャッタボタンが押圧されたことを示す上記検出手段からの検出信号に応じて所定の期間内に複数の静止画像を撮像する連写撮影を行うように上記撮像手段を制御するとともに上記音響を生成するように上記音響手段を制御し、さらに、上記撮像手段で撮像した複数の静止画像を上記表示手段で表示するように制御し、第２の段階までシャッタボタンが押圧されたことを示す上記検出手段からの検出信号に応じて上記第１の段階で連写撮影された静止画像を記録媒体に記憶する処理を行うように制御する制御手段とを備え、上記記憶手段は、第１、第２のメモリからなり、上記制御手段は、第１の段階までシャッタボタンが押圧されたことを示す上記検出手段からの検出信号に応じて所定の期間内に複数の静止画像を撮像する連写撮影を行うように上記撮像手段を制御し、連写撮影された複数の静止画像を上記記憶手段の第１のメモリに記憶するとともに、上記音響を生成するように上記音響手段を制御し、さらに、上記撮像手段で撮像した複数の静止画像を上記合成手段で合成して上記表示手段で表示するように制御し、第２の段階までシャッタボタンが押圧されたことを示す上記検出手段からの検出信号に応じて上記第１の段階で連写撮影された静止画像を上記記憶手段の第１のメモリから読み出して第２のメモリを介して記録媒体に記憶する処理を行うように制御することを特徴とする。
【０００７】
このように構成された画像撮像装置は、シャッタボタンが第１の段階まで押圧されたときに合成された静止画像を表示手段で表示し、第２の段階までシャッタボタンが押圧されたときに表示手段で表示された各静止画像を記録媒体に記録する。
【０００８】
また、本発明に係る画像撮像方法は、第１の段階までシャッタボタンが押圧されたとき所定の期間内に複数の静止画像を撮像する連写撮影を行い第１のメモリに記憶するとともに音響を生成する処理と、上記撮像した複数の静止画像を合成して表示モニタで表示する処理と、第２の段階まで上記シャッタボタンが押圧されたときに第１の段階で連写撮影された各静止画像を第１のメモリから読み出して第２のメモリを介して記録媒体に記憶する処理とを有することを特徴とする。
【０００９】
このような画像撮像方法は、第１の段階までシャッタが押圧された時点で複数の静止画像を撮像して表示モニタに表示し、第２の段階まで押圧された時点で表示モニタに表示した複数の静止画像を記録媒体に記録する。
さらに、本発明に係る画像撮像装置は、第１の段階と第２の段階との２段階で押圧されるシャッタボタンの押圧状態を検出する検出手段と、静止画像を撮像する撮像手段と、上記撮像手段で撮像した複数の静止画像を記憶する記憶手段と、上記記憶手段で記憶した複数の静止画像を表示する表示手段と、第１の段階までシャッタボタンが押圧されたことを示す上記検出手段からの検出信号に応じて所定の期間内に複数の静止画像を撮像する連写撮影を行うように上記撮像手段を制御するとともに上記撮像手段で撮像した複数の静止画像を上記表示手段で表示するように制御し、第２の段階までシャッタボタンが押圧されたことを示す上記検出手段からの検出信号に応じて上記第１の段階で連写撮影された静止画像を記録媒体に記憶する処理を行うように制御する制御手段とを備えることを特徴とする。
【００１０】
【発明の実施の形態】
以下、本発明の実施の形態について図面を参照しながら詳細に説明する。
【００１１】
本発明が適用可能なカメラ装置１は、図１に示すように、被写体を撮像して映像信号を生成するカメラ処理部２と、カメラ処理部２からの映像信号に所定の信号処理を施す信号処理部３と、信号処理部３からの映像信号が示す画像を表示する表示部４と、信号処理部３からの映像信号を格納する第１のメモリ５と、映像信号に圧縮伸長処理を施す圧縮伸長処理部６と、圧縮伸長処理部６で圧縮伸長処理が施された映像信号を格納する第２のメモリ７と、静止画像を示す映像信号を記録しＰＣＭＣＩＡ（personal computer memory card international association）コネクタを介して着脱自在に接続された記録媒体８と、記録媒体８に記録された静止画像を示す映像信号の入出力を管理するメモリインタフェイス（以下、メモリＩ／Ｆと称する。）９と、ユーザにより操作され操作信号を生成する操作入力部１０と、これらの各部を制御する制御部１１とを備える。
【００１２】
このカメラ装置１は、制御部１１と当該制御部１１に制御される各部とがバス１２を介して接続されてなり、当該バス１２を介して制御部１１からの制御信号が各部に入力される構成となされている。
【００１３】
更に、このカメラ装置１は、信号処理部３で所定の信号処理が施されて所定のフォーマットに変換された動画像を示す映像信号及び静止画像を示す操作信号が入力される記録部１３を備えている。この記録部１３は、テープ状記録媒体を内蔵し、当該テープ状記録媒体に動画像及び静止画像を示す映像信号を記録する。
【００１４】
カメラ処理部２は、例えば固体撮像素子を備えたＣＣＤイメージャ等を備えてなり、入射した光に応じて映像信号を生成する。この撮像部２は、カメラ装置１の動作モードを示す制御部１２からの制御信号に応じて静止画像を示す映像信号又は動画像を示す映像信号を生成する。このカメラ処理部２は、生成した映像信号を信号切換部３に出力する。
【００１５】
更に、このカメラ処理部２は、制御部１１からの制御信号に応じて所定の期間内に複数の静止画像を撮像する連写モードとなされる。このカメラ処理部２は、制御部１１から連写モードで動作する旨の制御信号が入力されたときにはＡＥロックやフォーカスロックされた状態における静止画像を所定の期間内に例えば９枚撮像する。
【００１６】
更にまた、このカメラ処理部２は、静止画像を撮像する際にシャッタ音を出力する図示しない音響機構を備えている。この音響機構は、後述の操作入力部１０により静止画像を撮像する旨の操作信号が制御部１１に入力されたことに応じて入力される制御部１１からの制御信号に応じてシャッタ音を出力する。
【００１７】
信号処理部３は、バス１２を介して制御信号が入力され、当該制御信号に応じて例えば表示部６で映像信号が示す動画像又は静止画像を表示するための処理、動画像を示す映像信号に対してフォーマットを変換する変換処理、圧縮伸長処理等を行う。また、この信号処理部３は、上記連写モードで撮像した各静止画像を示す映像信号が順次入力されたときには、各映像信号に所定の信号処理を施すことにより各静止画像を合成してなるサムネイル画像を示す映像信号を生成する処理を行う。
【００１８】
表示部４は、信号処理部３を介して入力される動画像又は静止画像を示す映像信号に基づいて動画像及び静止画像を表示するとともに、第１のメモリ５に格納された静止画像を表示する。また、この表示部４は、カメラ処理部２で後述の連写モードで静止画像を撮像したときには、所定の期間内に撮影された複数の静止画像を図２に示すようにサムネイル画像として表示する。なお、図２は、連写モードで所定の期間内に９枚の静止画像を連写したときの表示部４に表示される静止画像を示す。
【００１９】
第１のメモリ５には、信号処理部３を介して所定の信号処理が施された静止画像を示す映像信号が入力され、当該映像信号を格納する。この第１のメモリ５は、制御部１１からの制御信号に応じて表示部４に表示する静止画像を示す映像信号が信号処理部３により読み出される。また、この第１のメモリ５は、制御部１１からの制御信号に応じて記録媒体８に記録する静止画像を示す映像信号が信号処理部３により読み出される。
【００２０】
圧縮伸長処理部６は、静止画像を示す映像信号が信号処理部３を経由して入力され、当該映像信号に例えばＪＰＥＧ方式で圧縮処理を施す。この圧縮伸長処理部６は、操作入力部１０からの操作信号により指定された所定の圧縮率を示す制御信号に応じて圧縮処理を映像信号に施す。また、この圧縮伸長処理部６は、制御部１１から例えば静止画像を表示することを示す制御命令に応じて記録再生部８から入力された映像信号に伸長処理を施す。そして、この圧縮伸長処理部６は、伸長処理を施した映像信号を信号処理部３に出力する。
【００２１】
第２のメモリ７は、圧縮伸長処理部６で伸長処理が施された静止画像を示す映像信号が信号処理部３を介して入力される。また、第２のメモリ７は、格納された静止画像を示す映像信号が信号処理部３により適宜読み出される。
【００２２】
記録媒体８は、例えばカードメモリやフロッピーディスク等からなり、カメラ処理部２で撮像した静止画像を示す映像信号が格納されている。また、この記録媒体７は、ユーザの便宜を図り、カメラ装置１の筐体から着脱可能となされていても良い。
【００２３】
メモリＩ／Ｆ９は、記録媒体７に格納された静止画像を示す映像信号を読み出してバス１２に出力する処理や圧縮伸長処理部６で圧縮された映像信号をバス１２から入力し所定の形式に変換して記録媒体８に書き込む処理を行う。
【００２４】
操作入力部１０は、例えばスイッチパネルや、キーボード等からなり、ユーザにより操作されることで操作信号を生成する。この操作入力部１０は、連写して静止画像を記録することをユーザから指定されたときには、連写モードで静止画像を撮像する旨の操作信号を制御部１１に出力する。
【００２５】
また、この操作入力部１０には、ユーザが指で押圧することにより静止画像の撮像タイミングを示す操作信号を生成する図示しないシャッタボタンを備えている。このシャッタボタンは、押し方向に２段階のスイッチとなされており、１段階目の押圧ポジションまで押圧されることで所謂「半押し」状態となされ、２段階目の押圧ポジションまで押圧されることで所謂「全押し」状態となされる。
【００２６】
このようなシャッタボタンを備えた操作入力部１０は、ユーザにより上記半押し状態となされるとその旨を示す操作信号を制御部１１に出力し、ユーザにより上記全押し状態となされるとその旨を示す操作信号を制御部１１に出力する。
【００２７】
制御部１１は、上述の信号処理部３、圧縮伸長処理部６、第２のメモリ７、メモリＩ／Ｆ９の各部を制御する制御信号を生成し、これらの各部にバス１２を介して制御信号を出力する。なお、この制御部１１の詳細な処理は、後述する。
【００２８】
また、この制御部１１は、内部に設けられたメモリにＤＭＡ（ダイレクト・メモリ・アクセス）方式のプログラムが格納されており、当該プログラムを圧縮伸長処理部６及び第２のメモリ７に出力する。これにより、このカメラ装置１においては、圧縮伸長処理部６と第２のメモリ７との間における映像信号の入出力が制御部１１を介さないで行われることになる。
【００２９】
次に、上述したカメラ装置１で静止画像を撮像して静止画像を示す映像信号を記録媒体８に記録するときの一例について図３に示すフローチャートを用いて説明する。
【００３０】
このフローチャートによれば、先ずステップＳ１において、操作入力部１０からの動作モードを示す操作信号が制御部１１に入力される。そして、制御部１１は、操作信号に基づいて所定の期間内に複数の静止画像を撮像する連写モードが選択されたと判定したときにはステップＳ２に進み、操作信号に基づいて静止画像を１枚だけ撮像する通常モードが選択されたと判定したときにはステップＳ１１に進む。
【００３１】
ステップＳ２において、制御部１１は、ユーザにより操作入力部１０のシャッタボタンが押されて半押し状態となされた旨の操作信号が入力されたと判断したときにはステップＳ３に進み、半押し状態となされた旨の操作信号が入力されていないときには待機状態となる。
【００３２】
ステップＳ３において、制御部１１は、ＡＥロック、オートフォーカス等を行うようにカメラ処理部２を制御する。そして、カメラ処理部２は、ＡＥロック、オートフォーカス等を行うと、上述のステップＳ２で半押し状態となされた時点で撮像した静止画像でフリーズ状態とする。
【００３３】
ステップＳ４において、制御部１１は、所定の期間内に複数枚の静止画像を撮像するようにカメラ処理部２を制御する。これにより、カメラ処理部２は、例えば所定の期間内に一定時間間隔で９枚の静止画像を生成して、当該各静止画像を示す映像信号を順次信号処理部３に出力する。このとき、制御部１１は、連写モードで撮像することに応じたシャッタ音を出力するようにカメラ処理部２に備えられた音響機構を制御する。
【００３４】
ステップＳ５において、制御部１１は、上述のステップＳ４において撮像した各静止画像を示す映像信号を信号処理部３で所定の信号処理を施して、信号処理部３から第１のメモリ５に出力するとともに、表示部４に出力する。ここで、信号処理部３は、連写モードで撮像された複数の静止画像を示す映像信号を合成する処理を行うことにより、上述の図２で示すように表示するようにサムネイル画像に変換して表示部４及び第１のメモリ５に出力する。この結果、表示部４には、図２に示すように、所定の期間内に撮像した複数の静止画像が一画面内で分割されたサムネイル画像として表示され、ユーザに連写モードで撮像した静止画像を示す。
【００３５】
ステップＳ６において、制御部１１は、操作入力部１０から全押し状態となされた旨の操作信号が入力されたか否かを判断し、全押し状態となされた旨の操作信号が入力されたときにはステップＳ７に進み、全押し状態となされた旨の操作信号が入力されなかったときには、ステップＳ１に戻る。
【００３６】
ステップＳ７において、制御部１１は、上述のステップＳ６において全押し状態となされた旨の操作信号を入力したと判断したことに応じて、信号処理部３に制御信号を出力することにより、第１のメモリ５に格納されている連写モードで撮像した各静止画像を示す映像信号を信号処理部３を介して圧縮伸長処理部６で圧縮処理をし、メモリＩ／Ｆ９を介して記録媒体８に記録するように制御する。
【００３７】
一方、上述のステップＳ１で通常モードが選択されたと判定したときにおけるステップＳ１１において、制御部１１は、ユーザにより操作入力部１０の押圧機構が押されて半押し状態となされた旨の操作信号が入力されたと判断したときにはステップＳ１２に進み、半押し状態となされた旨の操作信号が入力されていないときには待機状態となる。
【００３８】
ステップＳ１２において、制御部１１は、上述のステップＳ３と同様に、ＡＥロック、オートフォーカス等を行うようにカメラ処理部２を制御する。そして、カメラ処理部２は、ＡＥロック、オートフォーカス等を行うと、上述のステップＳ２で半押し状態となされた時点で撮像していた静止画像をフリーズ状態とする。
【００３９】
ステップＳ１３において、制御部１１は、上述のステップＳ１２においてフリーズ状態とした時点での静止画像を示す映像信号を信号処理部３を介して第１のメモリ５に出力するとともに、表示部４に出力する。
【００４０】
ステップＳ１４において、制御部１１は、操作入力部１０から全押し状態となされた旨の操作信号が入力されたか否かを判断し、全押し状態となされた旨の操作信号が入力されたときにはステップＳ１５に進み、全押し状態となされた旨の操作信号が入力されなかったときには、ステップＳ１に戻る。
【００４１】
ステップＳ１５において、制御部１１は、上述のステップＳ１４において全押し状態となされた旨の操作信号を入力したと判断したことに応じて、信号処理部３に制御信号を出力することにより、第１のメモリ５に格納されている連写モードで撮像した各静止画像を示す映像信号を信号処理部３を介して圧縮伸長処理部６で圧縮処理をし、メモリＩ／Ｆ９を介して記録媒体８に記録するように制御する。
【００４２】
上述したように、本発明を適用したカメラ装置１は、操作入力部１０から連写モードで撮像する旨の操作信号が制御部１１に入力されたときには、半押し状態でカメラ処理部２で所定の期間内に複数の静止画像を撮像してサムネイル画像として表示部４で表示するので、記録媒体８に記録する前に連写モードで撮像したときの静止画像をユーザに示すことができる。
【００４３】
なお、上述したカメラ装置１の説明では、９枚の静止画像を示す映像信号を連写撮影して９分割の静止画像を表示部１４の一画面内に表示する所謂マルチ画面連写で静止画像を撮像する一例について説明したが、２枚〜４枚の静止画像を示す映像信号を連写撮影するときにも本発明が適用可能であることは勿論である。
【００４４】
【発明の効果】
以上詳細に説明したように、本発明では、第１の段階まで押圧されたときに所定の期間内に複数の静止画像を撮像する連写撮影を行い、第１のメモリに記憶するとともに音響を生成し、撮像した複数の静止画像を表示し、第２の段階まで押圧されたときに第１の段階で連写撮影された静止画像を第１のメモリから読み出して第２のメモリを介して記録媒体に記憶するので、記録媒体に静止画像を記録する前にユーザに連写して撮像した静止画像の確認をさせることができる。
【図面の簡単な説明】
【図１】本発明を適用したカメラ装置の構成を示すブロック図である。
【図２】連写モードで撮影した各静止画像をサムネイル画像として表示部に表示することを説明するための図である。
【図３】本発明を適用したカメラ装置で静止画像を記録するときの処理を説明するためのフローチャートである。
【符号の説明】
１  カメラ装置、２  カメラ処理部、３  信号処理部、４  表示部、８  記録媒体
【図１】
0004518582.tif 000002
【図２】
0004518582.tif 000003
【図３】
0004518582.tif 000004